(57)【要約】【課題】  溶解性、浸透性などの水の機能を持続的に保持する機能水を提供する。  【解決手段】  一本の導線を二つの平行な軸芯に、同一の巻径で８の字状に巻回されたコイルに、交番電流を流し、発生する電磁波の波形分布空域内に、シリカ微粒子を分散させた水を通過させて、水のゼータ電位の絶対値を上げたことを特徴とする。  【選択図】  図３
2005028341.tif 000002
【特許請求の範囲】
【請求項１】
溶解性、浸透性などの水の機能を持続的に保持する機能水であって、該機能水のゼータ電位の絶対値を２０ｍＶから６０ｍＶの範囲に処理したことを特徴とする機能水。
【請求項２】
前記ゼータ電位の絶対値は、シリカコロイド存在下に処理され、該機能水は該シリカコロイドを含んでいることを特徴とする請求項１記載の機能水。
【請求項３】
前記シリカコロイドの粒子の前記機能水中における濃度が１０００個／ｃｍ３〜２００００個／ｃｍ３であることを特徴とする請求項２記載の機能水。
【請求項４】
一つの軸芯に、巻回数及び巻径が厳密に同一で、左右巻回方向の異なるように巻回された一対のコイルに、同一位相の交番電流を、互いに正逆方向に流し、発生する電磁波の波形分布空域内に、シリカ微粒子を分散させた水を通過させて、前記ゼータ電位の絶対値を上げたことを特徴とする請求項１乃至３いずれかの項記載の機能水。
【請求項５】
一本の導線を二つの平行な軸芯に、同一の巻径で８の字状に巻回されたコイルに、交番電流を流し、発生する電磁波の波形分布空域内に、シリカ微粒子を分散させた水を通過させて、前記ゼータ電位の絶対値を上げたことを特徴とする請求項１乃至３いずれかの項記載の機能水。
【請求項６】
シリカ微粒子を分散させた水を、第一段階で静磁界を通過させて磁化し、第二段階で一つの軸芯に、巻回数が厳密に同一で、左右巻回方向の異なるように巻回された一対のコイルに、同一位相の交番電流を、互いに正逆方向に流し、発生する電磁波の波形分布空域内に、前記第一段階を経た水を通過させて、前記ゼータ電位の絶対値を上げたことを特徴とする請求項１乃至３いずれかの項記載の機能水。
【請求項７】
シリカ微粒子を分散させた水を、第一段階で静磁界を通過させて磁化し、第二段階で一本の導線を二つの平行な軸芯に、８の字状に巻回されたコイルに、交番電流を流し、発生する電磁波の波形分布空域内に、前記第一段階を経た水を通過させて、前記ゼータ電位の絶対値を上げたことを特徴とする請求項１乃至３いずれかの項記載の機能水。    
【発明の詳細な説明】
【技術分野】
【０００１】
本発明は、溶解性、浸透性などの水の機能を高め、その効果を持続せしめた機能水に関するものである。
【背景技術】
【０００２】
従来、水の機能を高めるには、水素イオン濃度を調節したり、界面活性剤を溶解したり、油溶水溶両性の物質を混合したりして行う化学的な方法が一般的であって、水そのものの機能と言うよりは、添加物質の機能の助けを利用する技術が主体であった。また、物質を水に溶解して、水溶液として利用するプロセスは工業的にしばしば行われるが、このようなプロセスでは、熱エネルギによって、溶解度を上昇させたり、攪拌によって物質移動の速度を速めたりすることが常法として採用される。攪拌の範疇に入る物理的なプロセス手法として近年では、超音波振動を利用することも行われている。その他水に不溶な有機物質を、生物化学的に除去若しくは溶解して、分離する方法も行われている。
【０００３】
一方、近年化学物質によらない、水の機能を高める技術が種々開示されている。例えば、特許文献１には通水管のまわりに磁気ブロックを流れ方向に位置と角度を順次ずらして配設、若しくは通水管のまわりに無誘導巻型コイルで発生する波動を照射した磁気ブロックを４個以上配設して、水を通過させ磁化水とすると、洗浄効果のすぐれた水とすることができるとある。
【０００４】
また、特許文献２では、排水処理のプロセスで、排水にマイクロ波、低周域の超音波及び高周域の電磁超音波を照射して排水の浮遊物を分離し且つ脱臭を行う液体の処理方法が開示されている。
【０００５】
また、特許文献３では、廃棄物中のダイオキシン等の難分解物質をヒドロオキシルラジカル存在下で酸化分解するにあたり、廃棄物の水分散系スラリを前もって電磁波処理、磁場処理をすることで、界面活性剤添加と同様な効果を出させるようにしている。
【０００６】
【特許文献１】特開平１１−１６５１７８号公報
【特許文献２】特開平１１−９０４２０号公報
【特許文献３】特開２００２−２７３３６９公報
【発明の開示】
【発明が解決しようとする課題】
【０００７】
しかしながら、特許文献１の方法では、磁場通過中若しくは通過直後の水は文献記載の効果を有するかもしれないが、例えば、その水を容器にいれて持ち運んだりすることにより時間が経過すれば、与えられたエネルギの放出に伴い、いずれその効果は消滅する。特許文献２若しくは特許文献３の方法においても、プロセスの中での処理方法であって、機能を有する水そのものを生産できるわけではない。
【０００８】
従って、本発明はかかる従来技術の問題に鑑みてなされたもので、溶解性、浸透性などの水の機能を持続的に保持する機能水を提供することを目的とする。
【課題を解決するための手段】
【０００９】
そこで、かかる課題を解決するために、本発明は、溶解性、浸透性などの水の機能を持続的に保持する機能水であって、該機能水のゼータ電位の絶対値を２０ｍＶから６０ｍＶの範囲に処理したことを特徴とする。すなわち、機能水のゼータ電位の絶対値が２０ｍＶより低ければ、目的の機能が発現せず、６０ｍＶより高いときには、あたかも電解質を溶解したような様相となり、目的とする温和な機能からかけ離れる。
【００１０】
更に、本発明の機能水は、前記ゼータ電位の絶対値が、シリカコロイド存在下に処理され、該機能水は該シリカコロイドを含んでいることを特徴とする。ゼータ電位を発現させるのはコロイドの表面電荷であり、この電荷の存在により水の分子構造を左右するエネルギ源が持続すると考えられる。
【００１１】
更に、本発明の機能水は、前記シリカコロイドの粒子の前記機能水中における濃度が１０００個／ｃｍ３〜２００００個／ｃｍ３であることを特徴とする。いわゆるエネルギを担う担体の密度がこの範囲にあるのが好ましいことが、本発明により経験的に見出された。
【００１２】
更に、本発明の機能水は、一つの軸芯に、巻回数及び巻径が厳密に同一で、左右巻回方向の異なるように巻回された一対のコイルに、同一位相の交番電流を、互いに正逆方向に流し、発生する電磁波の波形分布空域内に、シリカ微粒子を分散させた水を通過させて、前記ゼータ電位の絶対値を上げたことを特徴とする。前記したコイルで発生する特殊な電磁波は、縦波で構成されると考えられ、本発明の機能水を生産するにあたって、ゼータ電位の絶対値を上げる方法において、前記特殊な電磁波を水に照射するステップが特に重要な要件であって、通常の磁場を通過させるのみでは本発明の機能水が持つ機能は得られない。
【００１３】
更に、本発明の機能水は、一本の導線を二つの平行な軸芯に、同一の巻径で８の字状に巻回されたコイルに、交番電流を流し、発生する電磁波の波形分布空域内に、シリカ微粒子を分散させた水を通過させて、前記ゼータ電位の絶対値を上げたことを特徴とする。前記一対のコイルでは、巻回数及び巻径が厳密に同一で、左右巻回方向の異なるように巻回された一対のコイルは製作に手数がかかるが、本発明の一本の導線を二つの平行な軸芯に、同一の巻径で８の字状に巻回されたコイルは比較的容易に製作可能で、コスト的に有利である。
【００１４】
更に、本発明の機能水は、シリカ微粒子を分散させた水を、第一段階で静磁界を通過させて磁化し、第二段階で一つの軸芯に、巻回数が厳密に同一で、左右巻回方向の異なるように巻回された一対のコイルに、同一位相の交番電流を、互いに正逆方向に流し、発生する電磁波の波形分布空域内に、前記第一段階を経た水を通過させて、前記ゼータ電位の絶対値を上げたことを特徴とする。即ち特殊電磁波を照射する前段で通常の磁場を通過させて前処理を施せば、更に機能が向上することを見出した。
【００１５】
更に、本発明の機能水は、シリカ微粒子を分散させた水を、第一段階で静磁界を通過させて磁化し、第二段階で一本の導線を二つの平行な軸芯に、８の字状に巻回されたコイルに、交番電流を流し、発生する電磁波の波形分布空域内に、前記第一段階を経た水を通過させて、前記ゼータ電位の絶対値を上げたことを特徴とする。
【発明の効果】
【００１６】
以上記載のごとく本発明の機能水はその、溶解性、浸透性などの水の機能を持続的に保持するという利点がある。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１８】
図１は、本実施例のプロセスであり、第１段では水（本例では水道水）とシリカとより、既知のシリカコロイド製造プロセスで常法によりシリカコロイド水を製造する。第２段で特殊電磁波を照射して本発明の機能水を製造する。
【００１９】
図２は、特殊電磁波照射装置の主要部分であるコイル３の構造及び結線を示す。図２（Ａ）、（Ｂ）において、４は円筒状のカーボンで作られた芯であり、この芯に導線５が図２（Ａ）に示すように、８の字を呈して、巻回されている。このコイル３には、電流調節用抵抗器２を介して、交流電圧１（１００Ｖ５０Ｈｚ）が印加され、電流が流される。
【００２０】
図３は、機能水を製造するための特殊電磁波発生装置を示す図で、図３（Ａ）がその平面図、図３（Ｂ）がその正面図である。前記により製造したコロイド水を入口１０より導入し、ポンプ８にて圧送して、処理部７を通過させ、機能水は出口１２より取り出される。ポンプ８と処理部７は繋ぎ管１１で連結されている。また、ポンプは電動機９により回転駆動される。
【００２１】
図３（Ｂ）を参照して、円筒状の処理部７の下段はマグネットケーシング７Ｂになっており、その上段は特殊電磁波照射部７Ａであって前記したコイル３が、水の流れ方向及び円筒の軸芯を中心とする回転方向に関して、異なった位置に、３個配置されている。
【００２２】
前記第一段のプロセスで製造したシリカコロイド水を入口１０より導入し、ポンプ８により一定流量で処理部７に流した。シリカコロイド水は先ずマグネットケーシング７Ｂを通過して磁化され、次いで処理部７の特殊電磁波照射部７Ａのコイル３に電流が流されて発生する電磁波の波形分布空域内を通過して、機能水として出口１２より取り出した。
【００２３】
図４はこのようにして製造した実施例の機能水（処理水（コロイド水））のゼータ電位を測定したグラフである。測定はシスメックス（株）製のゼータサイザー３０００ＨＳＤＡＴＡ  ｔｙｐｅ１２５６によっておこなった。測定は三度行いその平均値として、−２７．７ｍＶが得られた。一方、図５は使用した原水（水道水）のゼータ電位を同様にして測定したグラフで、やはり、測定は三度行いその平均値として、−８．１ｍＶが得られた。即ち、機能水のゼータ電位は原水の三倍以上のゼータ電位（絶対値）となった。そしてこの機能水（処理水（コロイド水））は７００時間後においても顕著なゼータ電位（絶対値）の減少は観察されなかった。得られた処理水は溶解性、浸透性、殺菌性などの機能を有しており種々の用途、例えば、醸造用水、化粧水、肥料、養魚用水などに利用が考えられる。また、現在試験研究中であるが、有機肥料として近年再び注目を浴びているものの、水溶性に乏しいため、施肥に難点のあるフミンの水溶体の製造に利用が開ける目処もついている。
【産業上の利用可能性】
【００２４】
以上説明したように、本発明により本来の目的である溶解性、浸透性などの水の機能を持続的に保持する機能水を提供することを可能としたが、本機能水の性質を利用して化粧品、肥料、養魚、醸造などの産業に広く応用がひらけることが、推察される。
【図面の簡単な説明】
【００２５】
【図１】本発明の機能水を製造するプロセスフロー図である。
【図２】（Ａ）は本発明の機能水を製造するための装置の主要な部分である特殊電磁波発生コイルの平面図、（Ｂ）は正面図である。
【図３】（Ａ）は本発明の機能水を製造するための特殊電磁波発生装置の平面図、（Ｂ）は正面図である。
【図４】本発明の実施例で得られた機能水（処理水）のＺｅｔａ電位の測定値を示したグラフである。
【図５】本発明の実施例で用いた原水（水道水）のＺｅｔａ電位の測定値を示したグラフである。
【符号の説明】
【００２６】
１    １００Ｖ５０Ｈｚ電源
２    電流調節用抵抗器
３     コイル
４     芯（カーボン棒）
５     導線
７     処理部
７Ａ  特殊電磁波照射部    
７Ｂ  マグネットケーシング
８     循環ポンプ
９     電動機    
１０  シリカコロイド水入口
１１  繋ぎ管
１２  機能水（処理水）出口
【図１】
2005028341.tif 000003
【図２】
2005028341.tif 000004
【図３】
2005028341.tif 000005
【図４】
2005028341.tif 000006
【図５】
2005028341.tif 000007